(57)【要約】【課題】本発明は、詳しくは換気口装置の室内側に配設されるカバーユニットを簡単に着脱することができると共に換気口装置の風向方向の調整が可能な換気口装置を提供する。【解決手段】換気口装置１０は、換気口本体１２と、この換気口本体１２に着脱可能に取り付けられるカバーユニット１４とから構成されている。このカバーユニット１４は、換気口本体１２に着脱可能に取り付けられるベースカバー１６と、このベースカバー１６に着脱自在に取り付けられる表面カバー１８を組み立てることにより構成されている。表面カバー１８の第１立上面４４に第１換気開口部４４Ａが形成され、第２立上面４６には第２換気開口部４６Ａが形成され、第３立上面４８には第３換気開口部４８Ａが形成されている。【選択図】図１
2015087080.tif 000002
【特許請求の範囲】
【請求項１】
換気口本体と、この換気口本体に着脱可能に取り付けられるカバーユニットと、から構成された換気口装置であって、前記カバーユニットを構成すると共に前記換気口本体に着脱可能に取り付けられるベースカバーと、このベースカバーと前記カバーユニットを構成すると共にベースカバーに取り付けられる表面カバーと、前記換気口本体の一端部に形成された本体プレート部と、この本体プレート部に貫通形成された本体開口部と、この本体プレート部に突設された筒状の胴部と、前記本体プレート部に形成された本体プレート部係止体と、前記ベースカバーのベースカバープレート部に貫通形成されたカバー開口部と、前記ベースカバープレート部に形成されたベースカバー係止体と、前記表面カバーに形成された換気開口部と、を有してなることを特徴とする換気口装置。
【請求項２】
換気口本体と、この換気口本体に着脱可能に取り付けられるカバーユニットと、から構成された換気口装置であって、前記カバーユニットを構成すると共に前記換気口本体に着脱可能に取り付けられるベースカバーと、このベースカバーと前記カバーユニットを構成すると共にベースカバーに取り付けられる表面カバーと、前記換気口本体の一端部に形成された本体プレート部と、この本体プレート部に貫通形成された本体開口部と、この本体プレート部に突設された筒状の胴部と、前記本体プレート部に形成された本体プレート部係止体と、前記ベースカバーのベースカバープレート部に貫通形成されたカバー開口部と、このカバー開口部の内周面に形成されたベースカバー凹部と、このベースカバー凹部に形成された凹部係止片と、前記ベースカバープレート部に形成されたベースカバー係止体と、前記表面カバーに形成された換気開口部と、を有してなることを特徴とした換気口装置。
【請求項３】
換気口本体と、この換気口本体に着脱可能に取り付けられるカバーユニットと、から構成された換気口装置であって、前記カバーユニットを構成すると共に前記換気口本体に着脱可能に取り付けられるベースカバーと、このベースカバーと前記カバーユニットを構成すると共にベースカバーに着脱自在に取り付けられる表面カバーと、前記換気口本体の一端部に形成された本体プレート部と、この本体プレート部に貫通形成された本体開口部と、この本体プレート部に突設された筒状の胴部と、前記本体プレート部の上面に形成された本体プレート部上面係止体と、前記本体プレート部の下面に形成された本体プレート部下面係止体と、前記ベースカバーに形成されると共に前記本体プレート部より大型に形成されたベースカバープレート部と、このベースカバープレート部のベースカバープレート部に貫通形成されたカバー開口部と、このカバー開口部の内周面に等間隔で形成された複数のベースカバー凹部と、これらベースカバー凹部に形成された凹部係止片と、前記ベースカバープレート部のベースカバー上面片に形成されたベースカバー上面係止体と、前記ベースカバープレート部のベースカバー下面片に形成されたベースカバー下面部係止体と、前記表面カバーに形成された表面カバープレート部と、前記表面カバーに形成された立上面に設けられた換気開口部と、前記表面カバーに形成された表面カバー係止体と、を有してなることを特徴とする換気口装置。
【請求項４】
換気口本体と、この換気口本体に着脱可能に取り付けられるカバーユニットと、から構成された換気口装置であって、前記カバーユニットを構成すると共に前記換気口本体に着脱可能に取り付けられるベースカバーと、このベースカバーと前記カバーユニットを構成すると共にベースカバーに着脱自在に取り付けられる表面カバーと、前記換気口本体の一端部に形成された本体プレート部と、この本体プレート部に貫通形成された本体開口部と、この本体プレート部に突設された筒状の胴部と、前記本体プレート部の上面に形成された本体プレート部上面係止体と、前記本体プレート部の下面に形成された本体プレート部下面係止体と、前記ベースカバーに形成されると共に前記本体プレート部より大型に形成されたベースカバープレート部と、このベースカバープレート部に貫通形成されたカバー開口部と、前記ベースカバーのベースカバープレート部に貫通形成されると共に前記本体開口部と対応するカバー開口部と、このカバー開口部の内周面に等間隔で形成された複数のベースカバー凹部と、これらベースカバー凹部に形成された凹部係止片と、前記ベースカバープレート部のベースカバー上面片に形成されたベースカバー上面係止体と、前記ベースカバープレート部のベースカバー下面片に形成されたベースカバー下面部係止体と、前記表面カバーの正面に形成された表面カバープレート部と、前記表面カバーに形成された表面カバー第１面片，表面カバー第２面片，表面カバー第３面片，表面カバー第４面片と、前記表面カバーに形成された第１立上面，第２立上面，第３立上面，第４立上面と、これら第１立上面，第２立上面，第３立上面，第４立上面のいずれかに設けられた換気開口部と、前記表面カバーに形成された表面カバー係止体と、を有してなることを特徴とする換気口装置。
【請求項５】
換気口本体と、この換気口本体に着脱可能に取り付けられるカバーユニットと、から構成された換気口装置であって、前記カバーユニットを構成すると共に前記換気口本体に着脱可能に取り付けられるベースカバーと、このベースカバーと前記カバーユニットを構成すると共にベースカバーに着脱自在に取り付けられる表面カバーと、前記換気口本体の一端部に形成された正面視矩形状の本体プレート部と、この本体プレート部に貫通形成された本体開口部と、この本体プレート部の反室内側に前記本体開口部と同心状に突設された筒状の胴部と、前記本体プレート部の上面に形成された本体プレート部上面係止体と、前記本体プレート部の下面に形成された本体プレート部下面係止体と、前記ベースカバーに形成されると共に前記本体プレート部より大型に形成されたベースカバープレート部と、このベースカバープレート部に貫通形成されると共に前記本体開口部と対応するカバー開口部と、このカバー開口部の内周面には９０°の等間隔で形成された４個のベースカバー凹部と、これらベースカバー凹部に形成された凹部係止片と、前記ベースカバープレート部のベースカバー上面片の内側面に形成されたベースカバー上面係止体と、前記ベースカバープレート部のベースカバー下面片の内側面に形成されたベースカバー下面部係止体と、前記表面カバーの正面に形成された表面カバープレート部と、前記表面カバーに形成された表面カバー第１面片，表面カバー第２面片，表面カバー第３面片，表面カバー第４面片と、前記表面カバープレート部と表面カバー第１面片の間に形成された第１立上面と、前記表面カバープレート部と表面カバー第２面片の間に形成された第２立上面と、前記表面カバープレート部と表面カバー第３面片との間に形成された第３立上面と、前記表面カバープレート部と表面カバー第４面片との間に形成された第４立上面と、前記第１立上面に形成された第１換気開口部と、前記第２立上面に形成された第２換気開口部と、前記第３立上面に形成された第３換気開口部と、前記表面カバー第１面片と表面カバー第１面片と対向する表面カバー第３面片の反室内側にそれぞれ形成された表面カバー係止体と、前記表面カバー第２面片の反室内側に形成されたガイド体と、を有してなることを特徴とする換気口装置。
【発明の詳細な説明】
【技術分野】
【０００１】
本発明は、建築物等に設けられる換気口装置に関し、詳しくは室内の壁面から突出するカバーユニットのみを簡単に交換できると共に換気口装置の風向方向の調整が可能な換気口装置に関する。
【背景技術】
【０００２】
建築物に取り付けられて建築物の室内の換気を行う換気口装置が従来より広く提案されている。
従来の換気口装置においては壁の内側に配設される換気口本体と室内側に配設されるカバー体は固定されると共に前記換気口本体の胴部は建物内に配設された換気用パイプの先端部と直接接着剤等によって固定されている（特許文献１）。
このため、換気口装置が取り付けられた室内のリフォームを行う場合にリフォームの一環として前記換気口装置を交換しようとしても換気口装置の取り外し作業に手間と時間がかかり容易でなかった。
また、前記換気口装置の取り外し作業を行うと壁紙（クロス）が破れたり汚れたりするため、壁紙の張替えが必要になり、壁紙の張替えにも手間と費用がかかるため換気口装置の交換を見送るケースも多かった。
また、従来の換気口装置の室内側に固定されたカバー体には外気が吹き出る通気開口部が設けられている。
このため、通気開口部の近くに天井や壁が設けられていたり、あるいはカーテンや家具等が配設されていると換気口装置の使用により通気開口部から吹き出る外気により通気開口部近くの天井や壁あるいはカーテンや家具等が汚れてしまうという不具合がある。
【先行技術文献】
【特許文献】
【０００３】
【特許文献１】特開２００８−３０４１５１号公報
【発明の概要】
【発明が解決しようとする課題】
【０００４】
本発明は、上記事実に鑑みなされたものであり、詳しくは換気口装置の室内側に配設されるカバーユニットを簡単に着脱することができると共にユーザーのニーズに応じて換気口装置の風向方向の調整が可能な換気口装置を提供するものである。
【課題を解決するための手段】
【０００５】
請求項１の発明は、換気口本体と、この換気口本体に着脱可能に取り付けられるカバーユニットと、から構成された換気口装置であって、前記カバーユニットを構成すると共に前記換気口本体に着脱可能に取り付けられるベースカバーと、このベースカバーと前記カバーユニットを構成すると共にベースカバーに取り付けられる表面カバーと、前記換気口本体の一端部に形成された本体プレート部と、この本体プレート部に貫通形成された本体開口部と、この本体プレート部に突設された筒状の胴部と、前記本体プレート部に形成された本体プレート部係止体と、前記ベースカバーのベースカバープレート部に貫通形成されたカバー開口部と、前記ベースカバープレート部に形成されたベースカバー係止体と、前記表面カバーに形成された換気開口部と、を有してなることを特徴としている。
請求項２の発明は、換気口本体と、この換気口本体に着脱可能に取り付けられるカバーユニットと、から構成された換気口装置であって、前記カバーユニットを構成すると共に前記換気口本体に着脱可能に取り付けられるベースカバーと、このベースカバーと前記カバーユニットを構成すると共にベースカバーに取り付けられる表面カバーと、前記換気口本体の一端部に形成された本体プレート部と、この本体プレート部に貫通形成された本体開口部と、この本体プレート部に突設された筒状の胴部と、前記本体プレート部に形成された本体プレート部係止体と、前記ベースカバーのベースカバープレート部に貫通形成されたカバー開口部と、このカバー開口部の内周面に形成されたベースカバー凹部と、このベースカバー凹部に形成された凹部係止片と、前記ベースカバープレート部に形成されたベースカバー係止体と、前記表面カバーに形成された換気開口部と、を有してなることを特徴としている。
請求項３の発明は、換気口本体と、この換気口本体に着脱可能に取り付けられるカバーユニットと、から構成された換気口装置であって、前記カバーユニットを構成すると共に前記換気口本体に着脱可能に取り付けられるベースカバーと、このベースカバーと前記カバーユニットを構成すると共にベースカバーに着脱自在に取り付けられる表面カバーと、前記換気口本体の一端部に形成された本体プレート部と、この本体プレート部に貫通形成された本体開口部と、この本体プレート部に突設された筒状の胴部と、前記本体プレート部の上面に形成された本体プレート部上面係止体と、前記本体プレート部の下面に形成された本体プレート部下面係止体と、前記ベースカバーに形成されると共に前記本体プレート部より大型に形成されたベースカバープレート部と、このベースカバープレート部のベースカバープレート部に貫通形成されたカバー開口部と、このカバー開口部の内周面に等間隔で形成された複数のベースカバー凹部と、これらベースカバー凹部に形成された凹部係止片と、前記ベースカバープレート部のベースカバー上面片に形成されたベースカバー上面係止体と、前記ベースカバープレート部のベースカバー下面片に形成されたベースカバー下面部係止体と、前記表面カバーに形成された表面カバープレート部と、前記表面カバーに形成された立上面に設けられた換気開口部と、前記表面カバーに形成された表面カバー係止体と、を有してなることを特徴としている。
請求項４の発明は、換気口本体と、この換気口本体に着脱可能に取り付けられるカバーユニットと、から構成された換気口装置であって、前記カバーユニットを構成すると共に前記換気口本体に着脱可能に取り付けられるベースカバーと、このベースカバーと前記カバーユニットを構成すると共にベースカバーに着脱自在に取り付けられる表面カバーと、前記換気口本体の一端部に形成された本体プレート部と、この本体プレート部に貫通形成された本体開口部と、この本体プレート部に突設された筒状の胴部と、前記本体プレート部の上面に形成された本体プレート部上面係止体と、前記本体プレート部の下面に形成された本体プレート部下面係止体と、前記ベースカバーに形成されると共に前記本体プレート部より大型に形成されたベースカバープレート部と、このベースカバープレート部に貫通形成されたカバー開口部と、前記ベースカバーのベースカバープレート部に貫通形成されると共に前記本体開口部と対応するカバー開口部と、このカバー開口部の内周面に等間隔で形成された複数のベースカバー凹部と、これらベースカバー凹部に形成された凹部係止片と、前記ベースカバープレート部のベースカバー上面片に形成されたベースカバー上面係止体と、前記ベースカバープレート部のベースカバー下面片に形成されたベースカバー下面部係止体と、前記表面カバーの正面に形成された表面カバープレート部と、前記表面カバーに形成された表面カバー第１面片，表面カバー第２面片，表面カバー第３面片，表面カバー第４面片と、前記表面カバーに形成された第１立上面，第２立上面，第３立上面，第４立上面と、これら第１立上面，第２立上面，第３立上面，第４立上面のいずれかに設けられた換気開口部と、前記表面カバーに形成された表面カバー係止体と、を有してなることを特徴としている。
請求項５の発明は、換気口本体と、この換気口本体に着脱可能に取り付けられるカバーユニットと、から構成された換気口装置であって、前記カバーユニットを構成すると共に前記換気口本体に着脱可能に取り付けられるベースカバーと、このベースカバーと前記カバーユニットを構成すると共にベースカバーに着脱自在に取り付けられる表面カバーと、前記換気口本体の一端部に形成された正面視矩形状の本体プレート部と、この本体プレート部に貫通形成された本体開口部と、この本体プレート部の反室内側に前記本体開口部と同心状に突設された筒状の胴部と、前記本体プレート部の上面に形成された本体プレート部上面係止体と、前記本体プレート部の下面に形成された本体プレート部下面係止体と、前記ベースカバーに形成されると共に前記本体プレート部より大型に形成されたベースカバープレート部と、このベースカバープレート部に貫通形成されると共に前記本体開口部と対応するカバー開口部と、このカバー開口部の内周面には９０°の等間隔で形成された４個のベースカバー凹部と、これらベースカバー凹部に形成された凹部係止片と、前記ベースカバープレート部のベースカバー上面片の内側面に形成されたベースカバー上面係止体と、前記ベースカバープレート部のベースカバー下面片の内側面に形成されたベースカバー下面部係止体と、前記表面カバーの正面に形成された表面カバープレート部と、前記表面カバーに形成された表面カバー第１面片，表面カバー第２面片，表面カバー第３面片，表面カバー第４面片と、前記表面カバープレート部と表面カバー第１面片の間に形成された第１立上面と、前記表面カバープレート部と表面カバー第２面片の間に形成された第２立上面と、前記表面カバープレート部と表面カバー第３面片との間に形成された第３立上面と、前記表面カバープレート部と表面カバー第４面片との間に形成された第４立上面と、前記第１立上面に形成された第１換気開口部と、前記第２立上面に形成された第２換気開口部と、前記第３立上面に形成された第３換気開口部と、前記表面カバー第１面片と表面カバー第１面片と対向する表面カバー第３面片の反室内側にそれぞれ形成された表面カバー係止体と、前記表面カバー第２面片の反室内側に形成されたガイド体と、を有してなることを特徴としている。
【発明の効果】
【０００６】
本発明の換気口装置は、換気口本体から表面カバー又はカバーユニットを容易に着脱することができるので、換気口装置全体を取り外さなくても建物の室内のリフォームの一環として換気口装置の外観を新しくすることができるという優れた効果を有する。
本発明の換気口装置は、換気口装置の外観を新しくする場合には表面カバー又はカバーユニットだけを取り外すだけでよいので、壁紙が破れたり汚れたりすることがなく、リフォーム費用やリフォームの手間を抑えることができるという優れた効果を有する
本発明の換気口装置は、表面カバーに形成されている換気開口部の位置をユーザーのニーズに応じて簡単に変えることができるので、例えば風向方向を変えたい場合や、換気開口部の近くに設けられている天井や壁あるいは換気口開口部の近くに配設されたカーテンや家具等が汚れるのを防止することができるという優れた効果を有する。
請求項３、請求項４、請求項５の本発明は、上記優れた効果の他にベースカバープレート部は本体プレート部よりも大型に形成されているのでカバーユニットを換気口本体に取り付けるとベースカバープレート部は本体プレート部を覆って本体プレート部の外縁周辺部を隠すことにより外観品質が低下することを防止できるという優れた効果を有する。
【図面の簡単な説明】
【０００７】
【図１】実施例の換気口装置を正面側から見た状態の分解斜視図である。
【図２】実施例の換気口装置を背面側から見た状態の分解斜視図である。
【図３】実施例の換気口装置の正面図である。
【図４】実施例の換気口装置の表面カバーを取り外す状態斜視図である。
【発明を実施するための形態】
【０００８】
発明を実施するために最良の形態の例として以下のような実施例を示す。
【実施例１】
【０００９】
図１〜図４には本発明に係る換気口装置の一実施例が示されている。なお、この実施例では建築物の室内側に取り付ける換気口装置を例にして説明する。
図１及び図２に示されるように、本発明の換気口装置１０は、換気口本体１２と、この換気口本体１２の室内側に着脱可能に取り付けられるカバーユニット１４とから構成されている。このカバーユニット１４は、前記換気口本体１２に着脱可能に取り付けられるベースカバー１６と、このベースカバー１６に着脱自在に取り付けられる表面カバー１８を組み立てることにより構成されている。前記ベースカバー１６と表面カバー１８は合成樹脂材等の一定の力を加えると撓む可撓性材料で一体形成されている。
図１に示されるように、前記換気口本体１２の一端部には正面視矩形状に形成された本体プレート部２０が形成されている。この本体プレート部２０には円形の本体開口部２２が貫通形成され、本体プレート部２０の反室内側には前記本体開口部２２と同心状に円筒状の胴部２４が突設されている。この胴部２４は図示しない換気パイプと接着剤等の適宜固定手段によって連結されるようになっている。
図２に示されるように、前記本体プレート部２０の上面２０Ａには本体プレート部係止体としての本体プレート部上面係止体２６Ａ，２６Ａが形成されている。また、前記本体プレート部２０の下面２０Ｂには本体プレート部係止体又は本体プレート部下面係止体としての本体プレート部下面係止切欠部２８Ａ，２８Ａが、それぞれ形成されている（図には一方の本体プレート部下面係止切欠部２８Ａのみを示す）。また、前記本体プレート部２０の背面の四隅には突起３０がそれぞれ突設されている。
前記ベースカバー１６に形成されたベースカバープレート部３２も前記本体プレート部２０と同様に正面視矩形状に形成されている。このベースカバープレート部３２の上下方向寸法及び左右方向寸法は前記本体プレート部２０の上下方向寸法及び左右方向寸法より少し長く設定され、ベースカバープレート部３２は本体プレート部２０よりも一回り大型に形成されている。このベースカバープレート部３２には円形のカバー開口部３４が貫通形成されている。このカバー開口部３４は前記本体プレート部２０の本体開口部２２と対応するようになっている。また、前記カバー開口部３４の内周面には９０°の等間隔でベースカバー凹部３６が４個形成されている。これらベースカバー凹部３６にはそれぞれ凹部係止片３６Ａが形成されている。
前記ベースカバープレート部３２のベースカバー上面片３２Ａの内側面にはベースカバー係止体又はベースカバー上面係止体としてのベースカバー上面係止突起３８Ａ，３８Ａが突設されている。このベースカバー上面係止突起３８Ａ，３８Ａは前記本体プレート部２０の本体プレート部上面係止体２６Ａ，２６Ａと係止可能となっている。
前記ベースカバープレート部３２のベースカバー下面片３２Ｂの内側面にはベースカバー係止体又はベースカバー下面部係止体としてのベースカバー下面部係止突起４０Ａ，４０Ａが突設されている。このベースカバー下面部係止突起４０Ａ，４０Ａは前記本体プレート部２０の本体プレート部下面係止切欠部２８Ａ，２８Ａと係止可能となっている。
図３に示されるように、前記表面カバー１８も正面視矩形状に形成されている。この表面カバー１８の上下方向寸法及び左右方向寸法は前記ベースカバープレート部３２の上下方向寸法及び左右方向寸法と同じに設定されている。前記表面カバー１８の正面には矩形状の表面カバープレート部４２が形成されている。
前記表面カバー１８の４辺には表面カバー第１面片４２Ａ，表面カバー第２面片４２Ｂ，表面カバー第３面片４２Ｃ，表面カバー第４面片４２Ｄが形成されている。
また、表面カバープレート部４２と表面カバー第１面片４２Ａの間には第１立上面４４が形成され、表面カバープレート部４２と表面カバー第２面片４２Ｂの間には第２立上面４６が形成され、表面カバープレート部４２と表面カバー第３面片４２Ｃの間には第３立上面４８が形成され、表面カバープレート部４２と表面カバー第４面片４２Ｄの間には第４立上面５０が連続形成されている。
前記第１立上面４４には第１換気開口部４４Ａが、第２立上面４６には第２換気開口部４６Ａが、第３立上面４８には第３換気開口部４８Ａが、それぞれ貫通形成されている。なお、前記第４立上面５０には換気開口部は形成されていない。
図２に示されるように、前記表面カバー第１面片４２Ａの反室内側と、この表面カバー第１面片４２Ａと対向する表面カバー第３面片４２Ｃの反室内側にはそれぞれ表面カバー係止体としての表面カバー係止凹部５２が設けられている。これら表面カバー係止凹部５２には係止凹部５２Ａが形成され、前記ベースカバー凹部３６の凹部係止片３６Ａが嵌入して係止可能になっている。
また、表面カバー第２面片４２Ｂの内側面にはガイド体５４が設けられている。このガイド体５４は前記ベースカバー凹部３６に挿入させることによりベースカバー１６と表面カバー１８の位置きめを簡単に行えるようになっている。
【００１０】
次に、実施例の換気口装置１０の作用について説明する。
換気口装置１０の換気口本体１２は胴部２４が建築物の壁に貫通形成された通気用孔（図示せず）に配設されると共に換気パイプ（図示せず）と連結されて前記本体プレート部２０を壁面に当接させた状態で適宜固定手段によって取り付けられる。
前記換気口本体１２に着脱可能に取り付けられるカバーユニット１４を組み立てる場合は、ベースカバー１６の正面側に表面カバー１８を対応させ、表面カバー１８のガイド体５４をベースカバー１６のベースカバー凹部３６に挿入して位置決めすると共に表面カバー係止体５２，５２の係止凹部５２Ａ，５２Ａをベースカバー１６のベースカバー凹部３６，３６に挿入させて表面カバー係止体５２の係止凹部５２Ａ，５２Ａとベースカバー凹部３６の凹部係止片３６Ａ，３６Ａを嵌入係止させることにより、カバーユニット１４が組み立てられる。
そして、組み立てたカバーユニット１４のベースカバー１６のベースカバー上面係止突起３８Ａ，３８Ａを換気口本体１２の本体プレート部２０の本体プレート部上面係止体２６Ａ，２６Ａと係止すると共にベースカバー１６のベースカバー下面部係止突起４０Ａ，４０Ａを前記本体プレート部２０の本体プレート部下面係止切欠部２８Ａ，２８Ａと係止する。
これにより、前記カバーユニット１４を前記換気口本体１２に簡単かつ迅速に取り付けることができる。なお、カバーユニット１４のベースカバープレート部３２は前記本体プレート部２０よりも一回り大型に形成されているのでベースカバープレート部３２は前記本体プレート部２０を完全に覆うため本体プレート部２０の外縁に沿って壁紙がカットされているような場合等でもカバーユニット１４を換気口本体１２に取り付けるとベースカバープレート部３２が本体プレート部２０の外縁周辺部を隠すため外観品質の低下を防止できる。
前記換気口装置１０が設置された室内のリフォームをする場合にリフォームの一環として換気口装置１０の外観を新しくしたい場合は図４に示されるように両手で表面カバー１８の表面カバー第１面片４２Ａと表面カバー第３面片４２Ｃが互いに接近するように撓ませることにより、表面カバー１８の表面カバー係止凹部５２，５２とベースカバー１６の凹部係止片３６Ａ，３６Ａの係止を解除しながら表面カバー１８を手前に引くことにより表面カバー１８をベースカバー１６から取り外す。
次に、両手でベースカバー１６を持ってベースカバー１６のベースカバー下面片３２Ｂを手前に引いてベースカバー１６のベースカバー下面部係止突起４０Ａ，４０Ａと本体プレート部２０の本体プレート部下面係止切欠部２８Ａ，２８Ａの係止を解除してからベースカバー１６を少し持ち上げるようにしてベースカバー１６のベースカバー上面係止突起３８Ａ，３８Ａと換気口本体１２の本体プレート部２０の本体プレート部上面係止体２６Ａ，２６Ａの係止を解除することによりベースカバー１６を換気口本体１２の本体プレート部２０から取り外す。
従って、取り外したカバーユニット１４に替えて新しいカバーユニット１４を上述した手順で前記換気口本体１２に取り付けることにより、前記換気口装置１０全体を交換しなくとも換気口本体１０の外観を新しくすることができる。しかも、前記換気口装置１０全体を交換する必要がないので、作業が簡単であると共に壁紙が破れたり汚れたりすることを防止できると共に経済的でもある。
これにより、室内のリフォームをする場合にリフォームの一環として換気口装置１０の外観を新しくしたい場合は簡単かつ迅速にカバーユニット１４のみを交換することができるので、壁紙の張替え等をすることなく換気口装置１０の外観を新しくすることができると共にリフォーム費用や手間を抑えることができる。
【００１１】
また、例えば図３に示す換気口装置１０の左側近くに壁が設けられていたり、カーテンや家具が配設されていると換気口装置１０の長期使用により第１換気開口部４４Ａから吹き出る外気により壁やカーテン、家具が汚れてしまう場合がある。
従って、このような場合は上記手順で表面カバー１８をベースカバー１６から取り外して、表面カバー１８の表面カバー第４面片４２Ｄ、第４立上面５０が左側になるようにしてから上記手順で表面カバー１８をベースカバー１６に取り付ければ第４立上面５０には換気開口部は形成されていないので、外気が直接壁やカーテン、家具に当たらないので換気口装置１０を長期間使用しても壁やカーテン、家具が外気で汚れることを防止することができる。
また、ユーザーが風向きを変えたい場合も同様に表面カバー１８の取付位置を変えることにより表面カバー１８から吹き出る外気の風向きを容易に調節することができて便利である。
また、換気口装置１０は換気口本体１２からカバーユニット１４を簡単に取り外すことができると共にベースカバー１６から簡単に表面カバー１８を簡単に取り外すことができるので、カバーユニット１４、ベースカバー１６、表面カバー１８のクリーニングを簡単に行うことができるので、室内空気の清浄化にも効果的である。
【００１２】
なお、上記実施例では換気口装置１０の外観を新しくする場合にカバーユニット１４を交換した場合を示したがこれに限定される場合でなく、例えばベースカバー１６はそのままで表面カバー１８のみを新しい表面カバー１８と交換して換気口装置１０の外観を新しくしてもよいことは勿論である。
【００１３】
なお、実施例では正面視矩形状で第１立上面４４、第２立上面４６、第３立上面４８、第４立上面５０が設けられた表面カバー１８においては第１換気開口部４４Ａ、第２換気開口部４６Ａ、第３換気開口部４８Ａを形成したが、表面カバー１８に形成する換気開口部の数は３個に限定されるものでなく換気開口部を形成しない立上面を設ければ換気開口部の数は３個に限定されないことは勿論である。
また、表面カバー１８を正面視円形状等に形成した場合は、換気開口部を形成しない部分を設ければ形成される換気口開口部の数は限定されないことは勿論である。
【００１４】
なお、カバーユニット１４や表面カバー１８の取付手順、取外手順は、前記実施例に示した取付手順、取外手順に限定されるものでないことは勿論である。
【産業上の利用可能性】
【００１５】
本発明の換気口装置は、建物の室内以外にも設置して使用することができる。
【符号の説明】
【００１６】
１０    換気口装置
１２    換気口本体
１４    カバーユニット
１６    ベースカバー
１８    表面カバー
２０    本体プレート部
２２    本体開口部
２４    胴部
２６Ａ  本体プレート部上面係止体
２８Ａ  本体プレート部下面係止切欠部
３０    突起
３２    ベースカバープレート部
３２Ａ  ベースカバー上面片
３２Ｂ  ベースカバー下面片
３４    カバー開口部
３６    ベースカバー係止凹部
３８Ａ  ベースカバー第１係止突起
４０Ａ  ベースカバー第２係止突起
４２    表面カバープレート部
４２Ａ  表面カバー第１面片
４２Ｂ  表面カバー第２面片
４２Ｃ  表面カバー第３面片
４２Ｄ  表面カバー第４面片
４４    第１立上面
４４Ａ  第１換気開口部
４６    第２立上面
４６Ａ  第２換気開口部
４８    第３立上面
４８Ａ  第３換気開口部
５０    第４立上面
５２    表面カバー係止凹部
５２Ａ  係止凹部
５４    ガイド体
【図１】
2015087080.tif 000003
【図２】
2015087080.tif 000004
【図３】
2015087080.tif 000005
【図４】
2015087080.tif 000006